(57)【要約】【課題】ヘアカーラに巻きつけた頭髪がほどけないように上から挟んで固定するヘアクリップについて、発熱するヘアカーラのその熱の放散を抑制しつつ、頭髪を傷みから保護する。【解決手段】ヘアクリップ１のクリップ片１０を、それぞれ略半円筒形に湾曲する、合成樹脂製の基板１１、合成樹脂製の蓋板１２、金属製の保温板１３から三重構造に形成する。基板１１には、その内周面に沿って略半円筒形にくぼむ凹所が設けられており、ここに保温板がはめ込まれ、さらにその上から蓋板１２がはめ込まれている。クリップ片１０に内蔵されている保温板１３にヘアカーラ２からの熱が蓄積されるため、熱放散が抑制されて頭髪にウェーブやカールが付きやすくなる。クリップ片１０の外面は基板１１および蓋板１２に覆われて、高温化した保温板１３が直接頭髪に触れることがないため、頭髪が保温板１３の熱で傷んだり、やけどしたりするのが防止される。【選択図】図１
2012090794.tif 000002
【特許請求の範囲】
【請求項１】
それぞれ略半円筒形に湾曲する対向一対のクリップ片１０と、
前記クリップ片１０の湾曲方向の一端部同士を連結し、クリップ片１０の湾曲方向の他端部同士が接近する閉位置と他端部同士が離反する開位置との間で、各クリップ片１０をその軸周りに回動させる回動軸２０と、
前記各クリップ片１０を前記閉位置に向けて付勢するばね３０と、を備え、
前記各クリップ片１０は、その外面が合成樹脂製であり、その内部が金属製であるヘアクリップ。
【請求項２】
前記各クリップ片１０は、
全体が略半円筒形に湾曲し、その内周面または外周面に沿って略半円筒形にくぼむ凹所１１ｅが設けられている合成樹脂製の基板１１と、
略半円筒形に湾曲し、前記基板１１の凹所１１ｅにはめ込まれる金属製の保温板１３と、
略半円筒形に湾曲し、前記基板１１の凹所１１ｅの開口を閉塞する合成樹脂製の蓋板１２と、からなる請求項１に記載のヘアクリップ。
【請求項３】
前記基板１１は、その周面に同一の方向に延びる複数の貫通長孔１１ａを有し、
前記蓋板１２は、その周面に前記基板１１の貫通長孔と合致する複数の貫通長孔１２ａを有し、
前記保温板１３は、その周面に前記基板１１および蓋板１２の貫通長孔１１ａ、１２ａと交差する方向に延びる複数の貫通長孔１３ａを有する請求項２に記載のヘアクリップ。
【請求項４】
前記基板１１と蓋板１２とは、超音波溶着されている請求項２または３に記載のヘアクリップ。
【請求項５】
前記保温板１３は、アルミニウム製である請求項２から４のいずれかに記載のヘアクリップ。
【発明の詳細な説明】
【技術分野】
【０００１】
この発明は、ヘアカーラに巻きつけた頭髪がほどけないように、その上から挟んで固定するためのヘアクリップに関する。
より詳しくは、頭髪をセットするために発熱するヘアカーラの、その熱の放散を抑制する、保温性に優れたヘアクリップに関する。
【背景技術】
【０００２】
円筒形のヘアカーラに巻きつけた頭髪がほどけないように、その上から挟んで固定するためのヘアクリップとして、特許文献１のように、ヘアカーラの形状に合わせて全体を円筒状としたものが知られている。
【０００３】
くわしくは、この種のヘアクリップは、略半円筒形に湾曲する対向一対のクリップ片からなり、両クリップ片の湾曲方向（周方向）の一端部には、それぞれタブが一体に設けられている。
さらに、両タブの重なり合う箇所に回動軸が挿通していることで、クリップ片同士が連結されている。
【０００４】
これによりクリップ片は、周方向の他端部同士が接近してヘアクリップ全体が円筒形に閉じる閉位置と、他端部同士が離反して円筒が開く開位置との間で、回動軸を中心に回動可能となっている。
さらに両タブ間には、回動軸に外嵌するトーションスプリング（ねじりばね）の脚部が架け渡されているため、クリップ片は閉位置に向けて常時付勢されている。
【０００５】
ヘアクリップを使用する際には、両クリップ片のタブをつまみ、トーションスプリングの弾性に抗して閉位置から開位置へと回動させる。
この開いたヘアクリップを外周面に頭髪を巻きつけた状態のヘアカーラの上から被せ、ついでタブから指をはなすと、トーションスプリングの作用でクリップ片は自動的に閉じる。そのため、ヘアカーラに巻きつけられた頭髪が、ヘアクリップに挟まれて固定されることになる。
ここでヘアカーラは、ヒータが内蔵されるなどして発熱可能となっており、その高熱により頭髪にウェーブやカールが施される。
【先行技術文献】
【特許文献】
【０００６】
【特許文献１】特許第２８６６５９４号公報
【発明の概要】
【発明が解決しようとする課題】
【０００７】
ところで、従来のこの種のへアクリップは、各クリップ片が合成樹脂から一体成型されたものが大半であり、保温性に優れたものではなかった。
そのため、発熱するヘアカーラのその熱が放散しやすく、頭髪に大きなウェーブやカールを付けにくい問題があった。
【０００８】
一方、各クリップ片全体を熱伝導性の良好な金属から形成して、保温性を高めることも考えられるが、その場合、ヘアカーラの熱が伝導して高温化した金属が頭髪に直接接触することになる。そのため、頭髪が傷む原因となり、またやけどの恐れもあって好ましくない。
【０００９】
また、クリップ片にヒータを内蔵させるなどして、ヘアクリップも発熱させることで、ヘアカーラの熱の放散分を補うことも考えられるが、ヘアカーラだけが発熱する場合に比べて消費電力が増すうえに、クリップ片の構造が複雑化することになる。そのため、消費コストおよび製造コストが嵩んで好ましくない。
【００１０】
そこでこの発明は、ヘアカーラに巻きつけた頭髪がほどけないように上から挟んで固定するヘアクリップについて、発熱するヘアカーラのその熱の放散を抑制しつつ、頭髪を傷みから保護することである。
【課題を解決するための手段】
【００１１】
上記した課題を解決するため、発明にかかるヘアクリップの一対のクリップ片をそれぞれ、その外面が合成樹脂製であり、その内部が金属製であるものとしたのである。
【００１２】
より詳しくはクリップ片を、全体が略半円筒形に湾曲してその内周面または外周面に沿って略半円筒形にくぼむ凹所が設けられている合成樹脂製の基板と、略半円筒形に湾曲して前記基板の凹所にはめ込まれる金属製の保温板と、略半円筒形に湾曲して前記基板の凹所の開口を閉塞する合成樹脂製の蓋板と、から構成したのである。
【発明の効果】
【００１３】
クリップ片に内蔵される保温板が、金属製であって熱伝導性が良好であるため、この保温板に熱が蓄積されてヘアカーラの熱の放散が抑制され、頭髪にきれいなウェーブやカールが付きやすくなる。
【００１４】
それとともに、クリップ片の外面は熱伝導性の低い合成樹脂製の基板および蓋板により覆われており、蓄熱により高温化した保温板が直接頭髪に触れることがないため、頭髪が保温板の熱で傷んだり、やけどしたりするのが防止される。
【００１５】
また、一般に合成樹脂は金属よりも軽量で安価であるため、クリップ片全体を金属により形成する場合に比べて軽量化および低コスト化も図られている。
【００１６】
さらに、クリップ片はヘアカーラの熱を蓄積するだけで自身が発熱するわけではないため、消費電力が増すこともないし、またヒータを内蔵させるなどして構造が複雑化することもなく、消費コストや製造コストが抑えられる。
【図面の簡単な説明】
【００１７】
【図１】実施形態のヘアクリップの斜視図
【図２】実施形態のヘアクリップの使用状態を示す側面図
【図３】実施形態のヘアクリップの分解斜視図
【図４】実施形態のヘアクリップの、（ａ）は組み上げた状態での縦断面図、（ｂ）は分解した状態での縦断面図
【発明を実施するための形態】
【００１８】
以下、図面を参照しつつこの発明の実施形態について説明する。
図１に示すように、実施形態のヘアクリップ１は、一対のクリップ片１０と、回動軸２０と、トーションスプリング３０と、からなる。
【００１９】
同図のように、一対のクリップ片１０は、それぞれ略半円筒形に湾曲し、かつそれぞれ外向きに湾曲した状態で対向しており、その湾曲方向（周方向）の上端部同士が回動軸２０で連結されている。また、トーションスプリング３０は、両クリップ片１０の間に装填されている。
回動軸２０による連結態様の詳細およびトーションスプリング３０の装填態様の詳細は、後述する。
【００２０】
各クリップ片１０は、その周方向の下端部同士が接近してヘアクリップ１の全体が円筒形に閉じた閉位置と、その下端部同士が離反して円筒が開いた開位置との間で、回動軸２０を中心に回動可能となっている。
それと同時に各クリップ片１０は、トーションスプリング３０により閉位置に向けて付勢されている。
【００２１】
このヘアクリップ１は、ヘアカーラ２に巻きつけられた頭髪が、ほどけないように固定する際に用いられる。
具体的には、各クリップ片１０を指で開いて頭髪が巻きつけられたヘアカーラ２の上に被せ、ついで手を離すと、トーションスプリング３０の作用によりクリップ片１０は閉じて図２に示す状態となり、頭髪はヘアクリップ１に挟まれて固定されることになる。
【００２２】
ここで同図に示すヘアカーラ２は、小径円筒形の硬質の芯体２ａと、芯体２ａの外周に被せられる大径円筒形の軟質の毛髪巻き体２ｂと、からなる汎用品である。
芯体２ａは、ヒータが内蔵されて充電等をおこなうことで一定時間発熱可能になっている。毛髪巻き体２ｂは、毛髪が巻きつけられて芯体２ａから熱が伝わるようになっており、この熱により頭髪にウェーブやカールが施されることになる。
【００２３】
さらに詳細には、ヘアクリップ１のクリップ片１０は、図３および図４に示すように、ほぼ同じ曲率で略半円筒形に湾曲する、基板１１と、蓋板１２と、保温板１３の三重構造になっている。
【００２４】
基板１１は、ポリエチレン、ポリスチレン、ポリプロピレン、ポリエチレンテレフタレートなどの周知の合成樹脂から、略半円筒形に一体成型されている。
図３のように、基板１１の周面には、基板１１の周方向（湾曲方向）に延び、かつ半円筒の軸方向に並列する多数の貫通長孔１１ａが設けられている。
【００２５】
また基板１１の周方向の上端部中央には、基板１１の径方向に突出する矩形のタブ１１ｂが設けられ、このタブ１１ｂの上面の両側、すなわち基板１１の軸方向に対する両端部には、一対の軸受１１ｃが膨出して設けられている。
一方、基板１１の周方向の下端部には、基板１１の軸方向に並列するくし歯１１ｄが設けられている。
さらに、基板１１の内周面には、周縁部を残してほぼ全域が半円筒形にくぼんで凹所１１ｅが設けられている。
【００２６】
蓋板１２は、基板１１と同様に合成樹脂から略半円筒形に一体成型されている。図３のように、この蓋板１２は、基板１１の凹所１１ｅと軸方向および周方向寸法がほぼ等しく、また図４のように、その厚みは凹所１１ｅの深さよりも若干小さくなっている。
【００２７】
蓋板１２の周面には、図３のように、蓋板１２の周方向に延び、かつ軸方向に並列する貫通長孔１２ａが多数設けられている。これらの貫通長孔１２ａは、蓋板１２を基板１１の凹所１１ｅにはめ込んだ際に、基板１１の貫通長孔１１ａに一対一に合致するように配置されている。
【００２８】
保温板１３は、フラットな金属板を略半円筒形に曲げ成形して形成されている。金属板の種類は特に限定されず、アルミニウム板、銅板、鉄板が例示できるが、アルミニウム板が軽量かつ安価であり、しかも錆にくいため好ましい。
この保温板１３は、図３のように、基板１１の凹所１１ｅおよび蓋板１２と軸方向および周方向寸法がほぼ等しく、かつ図４のように、その厚みは蓋板１２の厚みと合計すると凹所１１ｅの深さとほぼ等しくなっている。
【００２９】
また保温板１３の周面には、図３のように、保温板１３の軸方向に延び、かつ軸方向および周方向に並列する貫通長孔１３ａが多数設けられている。すなわち、保温板１３の貫通長孔１３ａは、基板１１および蓋板１２の貫通長孔１１ａ、１２ａとほぼ直交する方向に延びている。
【００３０】
図３および図４のように、クリップ片１０は、これら基板１１と蓋板１２と保温板１３とから、基板１１の凹所１１ｅに保温板１３をはめ込み、その上からさらに蓋板１２をはめ込んで凹所１１ｅの開口を閉塞することで完成する。
このため、図１のように、保温板１３はクリップ片１０に内蔵された状態となる。換言すれば、クリップ片１０は、その外面は合成樹脂で構成され、その内部は金属で構成されることになる。
【００３１】
ここで基板１１と蓋板１２とは、分離しないように固着一体化することが好ましく、その態様としては溶着、接着、ねじ止め、爪等による係合が例示できるが、超音波溶着が簡易であり、接着剤やねじなどの別部材も不要であるため、とくに好ましい。
【００３２】
なお、上述した寸法関係より、蓋板１２および保温板１３は基板１１の凹所１１ｅに過不足なくはまり込むため、基板１１と蓋板１２とはその外面がほぼ面一となり、その間に段差ができないようになっている（図４（ａ）参照）。そのため、クリップ片１０の内周面は滑らかであって、頭髪が引っかかったりすることがない。
【００３３】
完成したクリップ片１０は、図１のように、基板１１および蓋板１２の周方向に延びる貫通長孔１１ａ、１２ａと、保温板１３の軸方向に延びる貫通長孔１３ａとが、格子状に交差することで、径方向（クリップ片１０の内周面から外周面にかけての方向）に連通する空隙が形成されている。そのため、通気性が良好であり頭髪を挟み込んだ際にも、頭部の蒸れが抑制されるようになっている。
これとともにクリップ片１０は、同図に示すように、その保温板１３の一部が、基板１１および蓋板１２の貫通長孔１１ａ、１２ａを通じて外部に露出している。
【００３４】
ここで一対のクリップ片１０は、図１のように、それぞれの基板１１に設けられた軸受１１ｃがクリップの軸方向に整列し、ここに回動軸２０が挿通されることで、上述したように回動軸２０を中心に回動可能に連結されている。
なお、回動軸２０の材質は限定されないが、強度の要請上、金属製が好ましい。
【００３５】
また同図のように、回動軸２０にはトーションスプリング３０が外装され、その両脚部が対向するタブ１１ｂ間に架け渡されていることで、上述したようにクリップ片１０はその下端部同士が接近する閉位置に向けて付勢されている。
同時に、両タブ１１ｂをつまんで接近させることで、トーションスプリングの付勢に抗してクリップ片１０同士を開けるようになっている。
なお、クリップ片１０の下端部にくし歯１１ｄが存在するため、トーションスプリング３０の付勢に伴い頭髪にそのくし歯１１ｄが食い込むようになっており、挟み込む力が強化されている。
【００３６】
実施形態のヘアクリップ１の構成は以上のようであり、各クリップ片１０に熱伝導性が良好な保温板１３が内蔵されているため、その蓄熱作用でヘアカーラ２の熱の放散が抑制されている。熱の放散の抑制により、頭髪にきれいなウェーブやカールが付きやすくなる。
【００３７】
また、クリップ片１０の外面は基板１１および蓋板１２に覆われて、保温板１３が直接頭髪に触れることがないため、頭髪が熱で傷んだり、やけどしたりするのが防止される。
しかもクリップ片１０の保温板１３の一部は、基板１１および蓋板１２の貫通長孔１１ａ、１２ａを通じ、頭髪には接触しない奥まった箇所から外部に露出しているため、保温板１３に蓄積された熱が頭髪へと伝わりやすくなっている。
【００３８】
以上の実施形態では、基板１１の内周面に凹所１１ｅを設けているが、基板１１の外周面に凹所１１ｅを設けて、この外周面側から保温板１３および蓋板１２をはめ込んでもよい。
【００３９】
また以上の実施形態では、貫通長孔１１ａ、１２ａ、１３ａのパターンを、基板１１や蓋板１２においては周方向に延び、保温板１３においては軸方向に延びるものとしたが、逆に基板１１等においては軸方向に延び、保温板１３においては周方向に延びるものとしてもよい。
あるいは、基板１１等においては貫通長孔１１ａ、１２ａは周方向に対して一方向（たとえば右向き）に傾斜した状態に延び、保温板１３においては貫通長孔１３ａは周方向に対して他方向（たとえば左向き）に傾斜して延びるものとしてもよい。
要は、基板１１および蓋板１２の貫通長孔１１ａ、１２ａと、保温板１３の貫通長孔１３ａとが、非平行であり、これにより格子状にあるいは斜め格子状に交差することで、クリップ片１０の径方向に連通する空隙が生じ、かつ保温板１３の一部が外部に露出するようになればよい。
【００４０】
さらに以上の実施形態では、トーションスプリング３０を用いているが、ばねの種類はこれに限定されず、板ばね等でもよい。
タブ１１ｂやくし歯１１ｄは省略可能である。タブ１１ｂの形状や位置は変更可能であるし、軸受１１ｃとタブ１１ｂとを異なる位置に配置してもよい。
【００４１】
以上の実施形態ではクリップ片１０を、その外面を構成する合成樹脂製の基板１１および蓋板１２と、その内部を構成する金属製の保温板１３とから構成したが、クリップ片１０の構成はこれに限定されない。
要は完成したクリップ片１０が、その外面が合成樹脂製であってその内部が金属製であれば足り、それによって、内部にヘアカーラからの熱を良好に蓄積できるし、外面は比較的低温であるため接触した頭髪を傷めることもなくなる。
たとえば、外面全体を構成する合成樹脂製の略半円筒形部材に、その端部から内部へと延びる略半円筒形のスリットを設け、このスリットに保温板１３を差し込んでクリップ片１０を作成することもできる。
また、外面全体を構成する略半円筒形部材を型を用いてモールドする場合に、その材料となる溶融した合成樹脂中に、あらかじめ保温板１３を埋め込んでおくこともできる。
【００４２】
以上の実施形態はあくまでも例示であって、これに発明は限定されない。この発明は特許請求の範囲の記載に基づいて定められ、特許請求の範囲に示された内容を限度として、実施形態についてのあらゆる変更が可能であり、その変更可能な形態も当然にこの発明に包含されるものとする。
【００４３】
なお、この明細書中でいう「略半円筒形」の語には、円筒や楕円筒、長円筒などの略円筒形と総称しうる筒体をその周方向に分割することでできる分割体の形状の全般が含まれるものとする。
【符号の説明】
【００４４】
１  ヘアクリップ
２  ヘアカーラ
２ａ  芯体
２ｂ  毛髪巻き体
１０  クリップ片
１１  基板
１１ａ  貫通長孔
１１ｂ  タブ
１１ｃ  軸受
１１ｄ  くし歯
１１ｅ  凹所
１２  蓋板
１２ａ  貫通長孔
１３  保温板
１３ａ  貫通長孔
２０  回動軸
３０  トーションスプリング
【図１】
2012090794.tif 000003
【図２】
2012090794.tif 000004
【図３】
2012090794.tif 000005
【図４】
2012090794.tif 000006